(57)【要約】【課題】  アスファルト面に自動販売機を据付けるに際し、アンカーボルトを用いて据付ける方法を開発すること。【解決手段】  アスファルト面の所定場所に穴を設け、次いでその下の土部分に上記アスファルト面に設けた穴よりも直径の大きい穴を形成し、前記穴より、羽根型アンカーボルトを挿入し、羽根を開いた状態となして、アンカーボルトを締め上げて仮固定し、穴の残部の空隙に、モルタルを注入して、アンカーボルトを安定させた後、その上に平板ブロック（鉄板）を用いてレベリングを共締めして自動販売機を固定すること【選択図】    図１
2006228165.tif 000002
【特許請求の範囲】
【請求項１】
アスファルト面の所定場所に穴を設け、次いでその下の土部分に上記アスファルト面に設けた穴よりも直径の大きい穴を形成し、前記穴より、羽根型アンカーボルトを挿入し、羽根を開いた状態となして、アンカーボルトを締め上げて仮固定し、穴の残部の空隙に、モルタルを注入して、アンカーボルトを安定させた後、その上に平板ブロック（鉄板）を用いてレベリングを共締めして自動販売機等を固定することを特徴とするアンカーボルトを用いたアスファルト面への自動販売機等の据付け施工法
【請求項２】
上記アスファルト面に穴を設けるに際し、アスファルト面に振動ドリルで下穴を形成し、次いでハンマードリルを使用してコンクリート用コアードリルを用いてφ４０ｍｍの穴を設ける請求項１に記載の据付け施工法
【請求項３】
土部分に上記穴をあけるに際し、土穴ぐり用ドリルで硬い土部分をほぐし、次いで穴ぐり用ツールで土を掘り、バキュームで吸引して穴内に残存する土を除去する請求項１又は２に記載の据付け施工法
【請求項４】
請求項１に於いて、羽根型アンカーボルトを挿入し、羽根を開いた後、仮締め治具でアンカーボルトを締上げ、じょうごを用いて、穴の残部にモルタルを注入した後、仮締め治具を外す手段を行う据付け施工法
【請求項５】
請求項１の施工法に於いて、使用する羽根型アンカーボルト
【請求項６】
羽根はアスファルト面に設けた穴に挿入する前では開かず、挿入後Ｖ字型に開く構造を有するものである請求項５に記載の羽根型アンカーボルト
【発明の詳細な説明】
【技術分野】
【０００１】  アスファルト面上に自動販売機の如きある一定の期間据付けて使用する物品を、アンカーボルトを用いて所定位置に据付ける施工法並びにこの方法に使用するアンカーボルトに関する。
【背景技術】
【０００２】  自動販売機の如き、重量が大きく且つ一定期間据付けて使用する物品（以下これ等を代表して自動販売機という）を、アスファルト面に据付けることは従来から通常行われており、たとえばモータープール等のアスファルト舗装面に自動販売機を据付けることは極めて多い。【０００３】  このようなアスファルト舗装面への自動販売機の据付けには次の様な理由でアンカーボルトは全く使用されていなかった。元来アンカーボルトは通常１００ｍｍ以上の厚みのコンクリートに穴をあけ、この穴の中に挿入し、クサビ状に開いて引抜き強度が出るものである。しかし乍らアスファルトはコンクリートとは異なり、軟らかいために、アンカーボルトを使用しても引抜き強度が出ないのである。このような理由によりアスファルト面に対してはアンカーボルトを使用することは実質的に行われていなかった。【０００４】  このため、従来のアスファルト舗装面への自動販売機据付けには、アンカーボルトを使用せず、自動販売機据付用平板ブロックを用いて、この平板ブロックを介してアスファルト舗装面に自動販売機を据付するものであった。このため据付けられた自動販売機は極めて不安定であり、何等かの余分の応力が加わっただけで、動いたり、据付位置がずれたり、ひどいときには倒れたりして、事故の恐れが極めて高いものであった。
【発明の開示】
【発明が解決しようとする課題】
【０００５】  本発明者は従来からアスファルト舗装面への自動販売機の据付に関し、研究を続けて来たが、この研究に於いて、アスファルト舗装面に、アンカーボルトを用いて自動販売機を据付けることが出来れば、極めて優れた強度でもって自動販売機を据付けることが可能となるのではないかという全く新しい着想に到り、アンカーボルト使用による自動販売機のアスファルト舗装面への据付け方法を開発すべく研究を続けた。【０００６】  従って本発明の解決しようとする課題は上記新しい着想を実現しうる新しい手段を開発することである。
【課題を解決するための手段】
【０００７】  この課題は、アスファルトの所定面に穴を設け、次いでその下の土部分に上記アスファルト面に設けた穴よりも大きい穴を形成し、前記穴より、羽根型アンカーボルトを挿入し、羽根を開いた状態となして、アンカーボルトを締め上げて仮固定し、穴の残部の空隙に、モルタルを注入することにより、このモルタルが硬化後、羽根型アンカーボルトと一体化して、引抜荷重をアスファルト層の下部面（１００φｍｍ２）で受けることとなり、従来のくさび型のアンカーボルトの引抜き強度（１０００ｋｇｆ前後）より、大きな強度（約２０００ｋｇｆ）が得られる。そしてアンカーボルトを安定させた後、その上に平板ブロック（鉄板）を用いてレベリングを共締めして自動販売機を固定する手段を採用することによって解決される。【０００８】  先ず本発明の施工法の概略を図１に示す。図１中（１）は自動販売機、（２）はアスファルト層、（３）は平板ブロック、（４）は羽根型アンカーボルト、（５）はセメントモルタル、（６）はアンカーボルト共締め用ナット、（７）は自動販売機の足、（８）は土部を示す。【０００９】  アスファルト面は材質が軟かいので従来からアンカーボルトは使用できないとされていた。しかし乍ら、本発明では図１に示す方法で施工することが出来る。なお一般敷地内や駐車場等のアスファルト舗装面の厚みは通常約５０〜７０ｍｍ位とうすいものである。【００１０】  先ず、アスファルト面（２）に振動ドリルで下穴（約１０ｍｍ程度）を形成し、コア部位置を安定させ、次いでハンマードリルを使用してコンクリート用コアードリルを使用してφ４０ｍｍの穴をあける。この際振動用コアドリルはセンタードリルがついているので、センター位置が安定し、コアー部のぶれが少なくなる。【００１１】  次に羽根型アンカーボルトを埋め込むための筒状の穴を掘る。この際羽根型アンカーボルトを埋め込む深さは、アスファルト舗装層の下部から更に少なくとも８０ｍｍ以上の深さとする必要があるため、アスファルト層の下部の土部分に筒状の穴を掘る。この際の大きさは、たとえば深さ約６０ｍｍ以上、直径約１００ｍｍφ径以上の筒状の穴でで良い。【００１２】  このアスファルト下部の土層に上記穴を設けるために、図３に示す如く先ずコアードリル（φ４０）であけた穴（８）を、土穴ぐり用ドリル（９）で硬い土部分をほぐして大きな穴を掘り易くする。なおこの土穴ぐり用ドリル（９）は、本発明者により新たに開発された工具であり、図３及び図７に示す如き新しい工具である。この土穴ぐりドリル（９）については後記で更に説明する。【００１３】  周囲をほぐした後、穴ぐり用ツール（１０）で土を掘り、上記に示した筒状の大きな穴を掘り、次に穴内に残存する土をバキュームで吸引して取り除く。【００１４】  そして図４に示す如く、羽根型特殊アンカー（４）を上記筒状の大きな穴に挿入し、羽根を開いた後、仮締め治具（１１）でアンカーボルトを締上げて仮固定する。【００１５】  更に詳しく説明すると以下の通りである。
このアンカーボルト（４）は、羽根（１２）を閉じた状態で穴の中に挿入し、次いで羽根を開き、この状態で仮締め治具（１１）をセットして、この治具によりアンカーボルト（４）を締め上げて仮固定する。この仮締め治具（１１）も、発明者がこの施工法実施に際し新しく開発したものであり、後記で詳しく説明する。【００１６】  次に、流し込み用じょうご（１３）を使用して、図４に示す様に筒状の穴の空隙内へモルタルを流し込み、アンカーボルトを固定させた後、仮締め治具を外す。次いで図５に示す通り、その上から、平板ブロック又は鉄板（３）を載置して自動販売機を設置する。そしてレベリング（１４）を共締め固定する。以後常法にしたがって、自動販売機を据付ける。【００１７】  尚、平板ブロックを使用した場合、平板の穴とボルトの隙間にモルタルを流し込み、安定させることで強度が更に増す。【００１８】  以下に本発明者が新しく開発した土穴ぐり用ドリル（９）、羽根型特殊アンカーボルト（４）、及び該ボルト（４）を仮締めするための仮締め治具（１１）について、夫々図３、図４及び図５を参照しつつ詳しく説明する。【００１９】  先ず土穴ぐり用ドリル（９）は図３−イ及び図７にに示す如き形状を有し、全体の長さは８０ｍｍ程度で先端がほぼ直角に曲がった刃先を有し、その刃先の長さは２５ｍｍ程度である。このドリル（９）を使用するに際しては、図３−ロに示す如く、電動ハンマードリルを用いて、穴を掘るものである。材質は硬い金属であれば良く、通常鋼製である。【００２０】  また羽根型特殊アンカーボルト（４）も本発明者によりはじめて開発されたもので、たとえば図４に示すような構造のものである。穴に挿入するときは、羽根（１２）は、図４−イに示す如く閉じており、挿入後図４−ハの如く羽根（１２）が開く構造となっている。挿入した後、該ボルト（４）を上方に少し引っ張ると、羽根（１２）は図４−ハの如く開く構造となっている。このアンカーボルトの材質も通常鋼製である。この羽根型特殊アンカーボルト（４）は、挿入後図４に示した通り、羽根（１２）が上方に向かって開くために、アンカーボルトとしての作用が大きく発揮され、その強度（据付強度）が大きくなり、強固に自動販売機をアスファルト面に大きな強度で固定することが出来る。【００２１】  また仮締め治具（１１）もやはり本発明者の新しく開発した治具であり、このアンカーボルトを所定の位置に正確に固定するために使用されるものである。材質は金属製で鋼をはじめその他硬質金属が使用される。この治具（１１）は、図４−ハから図４−ヘに示すものである。これを用いてアンカーボルトを仮締した後、その空間からモルタルを流し込んでアンカーボルト（４）を固定するが、この際、じょうごを用いて、仮締め治具の空間より、モルタルを流しこむのが、極めて便利であり、この治具にはこのじょうご（１３）と組合せて一組として使用することが好ましい。【００２２】  なお本施工法で使用した穴あけ工具について念のため図７に示す。図中（イ）はコアドリル、（ロ）は土穴ぐり用ドリル、（ハ）は土穴ぐり用ツールである。
【発明の効果】
【００２３】  本発明の施工法に依ると、従来全くアンカーボルトを用いて自動販売機等の据付けが出来なかったアスファルト舗装面に、はじめてアンカーボルトを用いて据付けが出来、強度大きく、安定した据付けが可能となる。【００２４】  そして本発明により始めて開発された羽根型アンカーボルトを使用し、また同じく穴ぐり用ドリルや仮締め治具を用いることにより、極めて効率良く、確実にアンカーボルトによる自動販売機等のアスファルト面への据付が、極めて簡単に、特に熟練を要さずに行うことが出来る。そして特に注目すべきは、後の実施例でも示す通り、その据付強度が極めて大きく、かなり大きな力でも全くビクともしない安定した据付がアスファルト面に出来ることにある。
【発明を実施するための最良の形態】
【００２５】  以下に実施例を示して本発明を詳しく説明する。
【実施例１】
【００２６】  自動販売機（１）（１１６０×７２５×１８３０ｍｍ、重さ約３９０ｋｇ）を厚み約６０ｍｍのアスファルト面に図１に示す様な手段で据付けた。即ち先ずアスファルト面（２）に、図２〜ハに示す如く振動ドリルで下穴（約１０ｍｍ）をあけ、図２−ニ〜ヘに示す如く、ハンマードリルを使用して、コアドリルφ４０の穴あけ作業を行う。次いで図３−イ及びロに示す如く、土穴ぐり用ドリルで土ほぐしを行い、引き続き穴ぐり用ツールにより土堀りを行う。そして穴の中に残った土をバキュームで吸い取る。かくして、直径約１００ｍｍ、深さ約１００ｍｍの筒状の大きな穴を作る。【００２７】  この大きな穴のなかに図４−イ〜ロに示す如く、羽根型特殊アンカーボルト（長さ２３０ｍｍ、羽根の長さ６６ｍｍ、開いたときの角度７３℃）を羽根が閉じた状態で挿入する。そしてこのアンカーボルトを図４−ロ〜図４−ヘに示す如く羽根を開いて、仮締め治具によって固定する。その後、じょうごよりモルタルを注入し仮固定した後、仮締め治具をはずす。【００２８】  そしてその上に平板ブロック（３００×３００、厚み６０ｍｍ）を載置し、図１に示す通り自動販売機を設置し、レベリングを共締め固定した。【００２９】  羽根型アンカーボルトのアスファルト面からの引き抜き強度は２０００ｋｇｆ以上であり、また該アンカーボルト施工後の引張り転倒試験結果は、４点固定時６００ｋｇｆ、対角２点定時６００ｋｇｆであった。【００３０】  なお、上記試験方法は４点固定の場合は図５−イ〜ロに、また対角２点固定の場合は図６イ〜ニに示す通りである。
【図面の簡単な説明】
【００３１】
【図１】  図１は本発明施工法の説明図である
【図２】  図２は本発明施工法の穴あけ作業を示す説明図である
【図３】  図３は同じく本発明施工法の穴あけ作業を示す説明図である
【図４】  図４は羽根型特殊アンカーボルトを挿入し、これを仮締め治具を用いて仮締めする作業を示す説明図である
【図５】  図５は本発明施工法にする据付け強度を測定したときの方法を示す説明図である
【図６】  図５は本発明施工法による据付け強度を測定したときの方法を示す説明図である
【図７】  本発明施工法で使用する穴あけ作業用工具を示す図面である
【符号の説明】
【００３２】１  ：  自動販売機
２  ：  アスファルト面
３  ：  コンクリート平板ブロック
４  ：  羽根型アンカーボルト
５  ：  モルタル
６  ：  ナット
７  ：  自動販売機の足
８  ：  土部分
９  ：  土穴ぐり用ドリル
１０  ：  土穴ぐり用ツール
１１  ：  仮締め治具
１２  ：  羽根
１３  ：  じょうご
【図１】
2006228165.tif 000003
【図２】
2006228165.tif 000004
【図３】
2006228165.tif 000005
【図４】
2006228165.tif 000006
【図５】
2006228165.tif 000007
【図６】
2006228165.tif 000008
【図７】
2006228165.tif 000009